(57)【特許請求の範囲】
【請求項１】
カテーテル・ホース（１０）と、カテーテル・ホースに接続された、少なくとも１つの拡張可能バルーン（１４）を担持する管状バルーン支持体（１３）とカテーテル・ホース（１０）の領域中またはカテーテル・ホースとバルーン支持体（１３）の間に配置され、羽根車を備え、少なくとも１つの側面入口（２１）を介して血液を引き込み、これをバルーン支持体（１３）中に軸方向に送出するポンプ（１６）を含むバルーン・カテーテル（１）であって、
ポンプ（１６）が、カテーテル内で一体化されており、かつカテーテル・ホース（１０）に沿って延びるガイド・ワイヤ（２５）のための長手方向のガイド・チャネル（２６）を含み、ガイドワイヤが該羽根車の羽根の間を通って伸びることができるように該ガイド・チャネルの位置および羽根車が構成されていることを特徴とする、バルーン・カテーテル。
【請求項２】
ガイド・ワイヤ（２５）が実質的にカテーテル・ホース（１０）の外側に延びること、およびガイド・チャネル（２６）がポンプ（１６）中に入ることを特徴とする、請求項１に記載のバルーン・カテーテル。
【請求項３】
ガイド・チャネル（２６）が、カテーテル・ホースの後端部から羽根車（２０）の（翼の）始点まで延びることを特徴とする、請求項１または２に記載のバルーン・カテーテル。
【請求項４】
ガイド・ワイヤ（２５）が、カテーテル・ホース（１０）内部をポンプ（１６）を通ってこれと同軸に延びることを特徴とする、請求項１に記載のバルーン・カテーテル。
【請求項５】
ポンプ（１６）が、カテーテル・ホース（１０）の近位端に配列されたモータに接続されたたわみ性シャフト（２３）によって駆動されることを特徴とする、請求項１から４のいずれか一項に記載のバルーン・カテーテル。
【請求項６】
ポンプ（１６）が、カテーテル・ホースの長さに沿って配列されたモータによって駆動されることを特徴とする、請求項１から５のいずれか一項に記載のバルーン・カテーテル。
【請求項７】
ポンプ（１６）が、その長さが少なくとも羽根車（２０）の最大直径と等しい少なくとも１つの翼（２２）を有する羽根車（２０）を含むことを特徴とする、請求項１から６のいずれか一項に記載のバルーン・カテーテル。
【請求項８】
バルーン（１４）が膨張したときに、側面入口（２１）が少なくとも部分的に血管壁から間隔をあけられることを特徴とする、請求項１から７のいずれか一項に記載のバルーン・カテーテル。
【請求項９】
側面入口（２１）とバルーン（１４）の間の距離が、せいぜい羽根車（２０）の翼の長さと等しい程度となることを特徴とする、請求項８に記載のバルーン・カテーテル。
【請求項１０】
少なくとも２つの相互に間隔をあけたバルーンがバルーン支持体上に配列されることを特徴とする、請求項１から９のいずれか一項に記載のバルーン・カテーテル。
【発明の詳細な説明】
本発明は、血管中に挿入して、例えば血管中の閉塞部を拡張する、または血管壁の一部分を血流から一時的に分離するのに適したバルーン・カテーテルに関する。
環状バルーンが嵌合した管状バルーン支持体をその遠位端に備えるカテーテル・ホースを含むバルーン・カテーテルは周知である。カテーテル・ホースを通って延びる内腔は、バルーンを体外の圧力源と連絡する。バルーンは、加圧された液体がその中に供給されると拡張する。血管の完全な閉塞は、通常はこれを行う際に発生し、下流側器官領域への不適当な供給（虚血）を生じる。これを回避するために、潅流カテーテル（循環カテーテル）が使用される。その中には、バルーン支持体を通る通路を有し、環状バルーン内部を通って血液が循環することができるようになっている自動潅流カテーテル（ＤＥ９２０７３９５Ｕ１）、および遠位のカテーテル端部に接続された外部高圧ポンプがカテーテル内部を通る連続的な潅流をもたらす能動性潅流システムがある。自動潅流カテーテルとは対照的に、能動性潅流システムは、患者の瞬間的な血圧とは無関係な特定の圧力を能動的に発生させる。しかし、これを行うためには、体外からカテーテル・ホースの内腔中にポンプで送る動脈血化した血液を患者から引き出さなければならない。さらに、内腔の小さなカテーテル・ホース内では圧力損失が高いので、毎分約４０〜６０ミリリットルを搬送するために非常に高いポンプ圧力（約１２バールまで）が必要となる。
米国第４９６９８６５号から、心臓を支援するための脈管内血液ポンプが既知である。この血液ポンプは血管を介して心臓中に導入することができる。これは、たわみ性シャフトによって駆動されるねじ型の羽根を収容する細長いチューブを含む。このポンプは軸方向の取入れ口を有し、その反対側の出口端部に径方向に流出させるための穴を備える。動作中に、血液ポンプは、取入れ口端部が一方の心室中に位置し、送出端部が大動脈中に配置されるようにして、心臓弁の開口部に位置決めされる。
本発明の目的は、簡略な能動性潅流システムとなるバルーン・カテーテルを提供することである。
本発明によれば、この目的は請求項１の特徴によって達成される。
本発明のバルーン・カテーテルでは、ポンプは、カテーテル中、詳細にはバルーン支持体付近の位置に配置される。適当な開口を介して、ポンプは血管から側面方向に血液を引き出し、これをバルーン支持体を介して軸方向にポンプで送る。ポンプはバルーン支持体の直前に配置されるので、比較的低いポンプ圧力しか必要とされない。ポンプはカテーテル中の外科手術の領域のすぐ近くに、すなわちバルーンに接近して、位置するのに十分に小さく、流される内腔の長さが短くなり、それにより圧力損失が比較的低いレベルに維持されるようになっている。ポンプの直径が小さいので、ポンプは、血管を傷つけることなくカテーテルとともに血管中に挿入することができる。一般に、より小さな血管がバルーン・カテーテルで処置される。ポンプの最大直径は、約１．４ｍｍを超えてはならない。このような小さなポンプは、バルーン支持体の直前に位置して、血管の処置する部位を通って延びるように、カテーテル中に一体化することができる。ここでポンプは、少なくとも１つの側面入口を介して高圧領域から血液を血管の流れの方向に引き出し、これを拡張したバルーンを越えて低圧領域中に搬送する。
ポンプのサイズが小型であることが必要とされるので、これは、例えば毎分６０ｃｍ3の必要な送出速度を達成するように比較的速い回転速度で駆動しなければならない。ポンプの回転速度は、８００００〜１５００００ｒｐｍの範囲内となることが好ましい。
バルーン・カテーテルは、血管、詳細には冠状血管領域や頸動脈などの閉塞部を拡張するために使用されることが好ましい。さらに、ワイヤ・バスケット（ステント）を位置決めして血管中の閉塞部を広げることもできる。
本発明の別の態様は、直列に配列した複数のバルーンを含む潅流カテーテルに関する。バルーンはある長さの血管を一時的に密閉し、バイパスをこの領域に縫合することができる。密閉された血管の区画を外科手術に利用することができる間、血液は管状バルーン支持体を介して流れ続ける。
本発明は、一体化されたポンプを有する能動性潅流カテーテルを提供する。その取扱いは大部分が受動性自動潅流カテーテルのそれと対応するが、その性能は能動性潅流システムと同様である。もう１つの利点は、約１ｍｍの非常に小さな外径を有するバルーン支持体を形成することができる点である。したがって、ほとんどいかなる場合にも、狭窄が重度であっても、バルーン部分を狭窄部分に配置することができることが保証される。
ポンプは、カテーテル・ホースの近位端に備えられたモータに接続されたたわみ性シャフトによって駆動されることが好ましい。ポンプ・ハウジングおよびその中に回転可能に格納される羽根のみを含むこのようなポンプは、約１．５ｍｍという非常に小さな外径で製造することができる。一般に、本発明はカテーテル中のポンプのすぐ近くにポンプ・モータを一体化することも実現し、この場合にはモータは羽根車を直接駆動する。
バルーン・カテーテルを血管中に配置するために、通常は、その後でそれを介してカテーテルを押し込むガイド・ワイヤが挿入される。ガイド・ワイヤを使用するこのような配置は、本発明のバルーン・カテーテルでも可能である。ただしこの場合には、ガイド・ワイヤはポンプ中を通過させなければならない。したがってポンプの羽根またはポンプ自体が、約０．３ｍｍの直径を有するガイド・ワイヤが通過することができるように設計される。ポンプは、ガイド・ワイヤがポンプ領域付近から十分に遠くまで引き抜かれた後でのみ始動することを考慮しておくべきである。カテーテルの配置中には、ガイド・ワイヤが羽根車を妨害することが好ましい。
以下は、添付の図面と関連して考慮した本発明の実施形態の詳細な説明である。
図１は、第１の実施形態のバルーン・カテーテルの遠位端部分の縦断面図である。
図２は、ポンプがモノレール・ガイドを形成する、ガイド・ワイヤが挿入された図１のバルーン・カテーテルを示す図である。
図３は、ガイド・ワイヤがポンプを同軸に通過する実施形態を示す図である。
図１のバルーン・カテーテル１は、長さ約１ｍ、直径約１．３ｍｍの細長いカテーテル・ホース１０を含む。たわみ性カテーテル・ホース１０は、直径約０．８ｍｍの中央ホース内腔１１を有する。さらに、別の内腔１２がカテーテル・ホース１０の壁面を通って延び、バルーン１４に圧力流体を供給する。
約０．８ｍｍの内径および約１．０ｍｍの外径を有する管状バルーン支持体１３がカテーテルの先端に位置する。このバルーン支持体１３は少なくとも１つのバルーン１４によって封入される。バルーン１４は、導管１５を介してカテーテル・ホース１０の内腔１２と連絡する。バルーン支持体１３の前端は先細になり、血液出口開口を軸方向に１つ、側面に複数有する。
ポンプ１６はカテーテル・ホース１０とバルーン支持体１３の間に位置する。ポンプは約１．５ｍｍの外径を有する管状ポンプ・ハウジング１７を有する。ポンプ・ハウジングの近位端１７ａはカテーテル・ホース１０の端部に固定され、遠位端１７ｂはバルーン支持体１３に接続される。ポンプ・ハウジング１７は金属で作成され、羽根車２０のシャフト１９がその中で支持される軸受１８を保持する。カテーテル・ホース１０の端部は軸受１８とポンプ・ハウジング１７の間に嵌合する。カテーテル・ホース１０の端部のすぐ隣で、血液が径方向にポンプ・ハウジング１７に進入するための側面入口２１がハウジング１７に設けられる。羽根車２０の領域では、ハウジング１７の外周は閉じている。羽根車２０は、軸の周りに螺旋状に配列された、少なくとも１５０°の角度範囲にわたって延びる複数の翼２２を有する。羽根車２０の長さは羽根車の最大直径の約２倍である。羽根車２０はバルーン支持体１３の直前で終端する。
羽根車２０のシャフト１９は、カテーテル・ホース１０の内腔１１内に延びる、１０００００ｒｐｍ程度の回転速度でシャフトを駆動する外部電気モータをその近位端に備えるたわみ性シャフト２３に接続される。
カテーテルのバルーン部分が例えば狭窄領域中に挿入されている間に、バルーン１４が加圧され、それにより膨張し、ポンプ１６が入口２１からバルーン支持体１３を介して血液を搬送する。バルーン支持体１３の遠位端は開く、すなわち開口を備え、この位置で血液がバルーン支持体１３から血管中へ流入することができるようになっている。
図２の実施形態は、最初に血管中に配置し、その後それを介してカテーテルを滑らせるガイド・ワイヤ２５が追加される点のみ、図１の実施形態と異なる。このたわみ性ガイド・ワイヤ２５は一般にカテーテル・ホース１０の外側に延びる。カテーテル・ホースの遠位端、好ましくはカテーテル・ホース１０の最後の１０ｃｍおよびポンプ・ハウジング１７の一部分に、ガイド・ワイヤ２５をポンプ・ハウジング１７中に案内するためのガイド部分（モノレール）となる、長手方向に延びるチャネル２６を設ける。ガイド・ワイヤの直径は、ガイドワイヤが羽根車２０の翼の間を通って延びることができるように、約０．３ｍｍである。ガイド・ワイヤ２５がポンプ・ハウジング中にある間、羽根車は回転しない。カテーテルを配置した後で、少なくともポンプ・ハウジングからはガイド・ワイヤが引き抜かれ、処置が可能となる。ここで、チャネル２６の位置および羽根車２０の設計は、そのためにバルーンを完全に引き抜かなくてもガイド・ワイヤ２５を使用してシステムを別の位置に再配置することができるように、ガイド・ワイヤ２５を、停止した羽根車２０を介してバルーン支持体１３を通してバルーンに向かって常に押し直すことができるようになっている。
図３の実施形態では、ガイド・ワイヤ２５は、たわみ性シャフト２３、シャフト１９、および羽根車２０を通ってこれらと同軸に延びる。これらの部品はガイド・ワイヤを滑らせる（ワイヤ式技術）ための対応する軸方向のチャネルを有する。ポンプが動作しているときには、ガイド・ワイヤを引き抜き、バルーン支持体１３を通る通過流量を改善することができる。ガイド・ワイヤを引き抜いた後でカテーテルの位置を変更する場合には、これを再度送ることもできる。ただし、これはポンプの動作には重要でない。
複数のバルーンがバルーン支持体上に設けられる場合には、ポンプ１６を越える流体供給ライン１５を各バルーンごとに配列することができる。それでも、カテーテルの最も厚い部分すなわちポンプ１６の部分は、特に冠状領域（頸動脈）で使用する場合には、普通なら直径２ｍｍの標準的な導入カテーテルを使用してカテーテルを配置することができないので、直径１．５ｍｍを大幅に超えてはならない。さらに、ポンプ・ハウジング１７の長さが約６ｍｍを超えないことも必要となる。
上述の実施形態は、バルーン・カテーテルに接近して、すなわちカテーテル・ホースの端部に配列された、低圧原理に従って動作するポンプ１６を含むバルーン・カテーテルに関する。この場合には、ポンプは比較的低い圧力のみを発生させればよい。本発明の範囲内で、カテーテル・ホース中に、バルーン支持体からさらに距離を離して脈管内ポンプを提供することも企図される。このポンプは、カテーテル・ホースの両端間で圧力低下が発生するので、より高いポンプ圧力を送出しなければならない。
【図１】
0003786289.tif 000002
【図２】
0003786289.tif 000003
【図３】
0003786289.tif 000004